(57)【要約】【課題】土嚢として機能し、作業性の向上も図れ、新たな樹脂材料を不要にして製造でき、コストの低減を図ることができる防水用ブロック体を提供する。【解決手段】過熱水蒸気を導入して樹脂系廃棄物を油化処理する油化処理装置から供給される油化され溶融した樹脂材を原材料として金型で固化して成型される立方体状で、その側面に係合突起部１２が形成され、その側面と対向する側面に係合凹部１３が形成された第一のブロック体１１ａと、さらに対向する側面の間の側面に係合突起部１２若しくは係合凹部１３が形成された第二のブロック体１１ｂとが成形されており、第一のブロック体１１ａと第二のブロック体１１ｂ若しくは第二のブロック体１１ｂ同士の係合突起部１２と係合凹部１３とを何種類かのパターンで嵌合して防水用ブロック体１０として組み立てる。【選択図】図１
0003231818.tif 000002
【実用新案登録請求の範囲】
【請求項１】
樹脂系廃棄物が収容された処理炉内を無酸素状態にし、当該処理炉内に過熱水蒸気を導入して樹脂系廃棄物を油化処理する油化処理装置から供給される油化され溶融した樹脂材を原材料とし、当該樹脂材を付設された金型に導いて、立方体状に固化して成型されたブロック体からなり、
前記ブロック体は、その側面に係合突起部が形成され、その側面と対向する側面に係合凹部が形成された第一のブロック体と、さらに対向する側面の間の側面に係合突起部若しくは係合凹部が形成された第二のブロック体とに成形され、前記第一のブロック体と第二のブロック体若しくは第二のブロック体同士の係合突起部と係合凹部とを嵌合して組み立てられることを特徴とする防水用ブロック体。
【考案の詳細な説明】
【技術分野】
【０００１】
本考案は、大雨時や洪水時の浸水防護壁を形成するように使用される防水用ブロック体に関する。
【背景技術】
【０００２】
従来から、大雨や台風の際には、建物やその地下施設などへの浸水を防止するために、土嚢を積み上げることによって防水壁を形成して浸水による被害を抑制するようにしている。
【０００３】
土嚢は、一般的に、土嚢用の袋に小石、砂利等を含む土をスコップで入れて充填していき、所定量になれば、袋の口に設けられた紐で開口部を縛って作られている。このように作られた土嚢を隙間なく横に並べて一段目を形成し、その上に順次積み重ねて浸水防護壁を形成している。
【０００４】
従来、土嚢袋には麻や綿などの天然繊維が使用されているが、対候性が悪いため、合成樹脂を用いたもので、さらに透水性を向上させたものが提案されている（特許文献１）。また、積み上げた土嚢全体が崩れないように、土嚢同士を結束できるように土嚢袋の縛りベルトに工夫を加えたものが提案されている（特許文献２）。また、硬質の合成樹脂（合成ゴム）によって直方体状や立方体状に形成されたブロック本体を嵌合できる形態にして複数並べて防水壁を構成するようにしたものも提案されている（特許文献３）。
【先行技術文献】
【特許文献】
【０００５】
【特許文献１】特許第５７６３４１２号公報
【特許文献２】特許第６５９４１５４号公報
【特許文献３】特許第４２９５３０７号公報
【考案の概要】
【考案が解決しようとする課題】
【０００６】
上記特許文献１、２に記載の改良された土嚢袋によっても、小石、砂利などの中詰め材を充填して土嚢を作るという作業が必要であり、土嚢を積み上げる作業においても、土嚢袋自体の重量が大きくなるため、作業者に負担が掛かり迅速に積み上げることができないという問題があった。かかる土嚢は、再利用が困難という問題もあった。
【０００７】
さらに、特許文献３に記載の合成ゴム製のブロック体を使用する場合は、ある程度の軽量化が図られ、作業能率が上がるとしても、材料としての合成ゴム材と製造にコストが掛かり、かなりの数を用意する必要からみて、自治体等の公共災害対策として経費がかかるため、自治体等によっては導入について予算上の問題が生じる場合もあった。
【０００８】
そこで、本考案は、土嚢として機能し、作業性の向上も図れる樹脂製の防水用ブロック体について、新たな樹脂材料を不要にして製造でき、コストの低減を図ることができるとともに、防水壁を能率よく形成できるようにした防水用ブロック体を提供することを課題とする。
【課題を解決するための手段】
【０００９】
上記の課題を解決するために、本考案は、次のように構成した。すなわち、請求項１に記載の防水用ブロック体は、樹脂系廃棄物が収容された処理炉内を無酸素状態にし、当該処理炉内に過熱水蒸気を導入して樹脂系廃棄物を油化処理する油化処理装置から供給される油化され溶融した樹脂材を原材料とし、当該樹脂材を付設された金型に導いて、立方体状に固化して成型されたブロック体からなり、前記ブロック体は、その側面に係合突起部が形成され、その側面と対向する側面に係合凹部が形成された第一のブロック体と、さらに対向する側面の間の側面に係合突起部若しくは係合凹部が形成された第二のブロック体とで形成され、前記第一のブロック体と第二のブロック体若しくは第二のブロック体同士の係合突起部と係合凹部とを嵌合して組み立てられることを特徴としている。
【考案の効果】
【００１０】
本考案にかかる防水用ブロック体によれば、その材料がプラスチック等の樹脂系廃棄物を油化した際の樹脂材であり、廃材を利用して成形されているため、製造コストの低減を図ることができる。請求項1に記載の防水用ブロック体では、隣同士の立方体状のブロック体の係合突起部と係合凹部を嵌合し、前後のブロック体の係合突起部と係合凹部を嵌合することで、能率よく順次面状にかつ横並びにして配置できる。さらに、ブロック体に杭部材の挿入孔を設ければ、杭部材を挿入し接地面側に対して杭打ちを行うことにより固定設置することができ、より強固な防水壁を形成することができる。
【図面の簡単な説明】
【００１１】
【図１】本考案の実施例である防水用ブロック体の構成と組み立てた状態を説明する斜視図である。
【考案を実施するための形態】
【００１２】
以下、本考案の実施の形態について図面に基づき説明する。
【００１３】
図１は、本考案の実施例である防水用ブロック体１０の構成と組み立てられた状態を説明する斜視図で、この防水用ブロック体１０は、本願考案者が開発し特許取得した有機物の炭化処理装置（特許第６７９１５７７号）を利用して製造される。この有機物の炭化処理装置の詳細な説明は省略するが、プラスチック等の樹脂廃棄物のほか、家庭やオフィスから出る生ごみや紙屑、食品端材など様々な廃棄物を過熱水蒸気により炭化・油化する装置であり、当該特許装置は、処理炉内へ供給する過熱水蒸気の温度調整を連続して行えるものである。本考案の防水用ブロック体１０は、係る特許装置を用いて、樹脂系廃棄物を無酸素下で過熱水蒸気により油化され溶融した樹脂を材料として、処理炉から装置に付設した金型に導入して成形される。
【００１４】
防水用ブロック体１０を構成する本実施例のブロック体１１は、立方体状で、その側面に係合突起部１２が形成され、その側面と対向する側面に係合凹部１３が形成された第一のブロック体１１ａと、さらに対向する側面の間の側面に係合突起部１２若しくは係合凹部１３が形成された第二のブロック体１１ｂとが成形され、第一のブロック体１１ａと第二のブロック体１１ｂ若しくは第二のブロック体１１ｂ同士の係合突起部１２と係合凹部１３とを何種類かのパターンで嵌合して防水用ブロック体１０として組み立てられている。ブロック体１１ａ、１１ｂの幾つかには、杭部材を挿入して杭打ちできるようにした挿入孔１４が形成されている。
【００１５】
この立方体状のブロック体１１ａとブロック体１１ｂとの係合突起部１２と係合凹部１３を嵌合し、前後のブロック体の係合突起部１２と係合凹部１３を嵌合していくことで、能率よく順次面状にかつ横並びにして設置することができ、ブロック体の挿入孔１４に杭部材を挿入し所要設置場所の地面側に対して杭打ちを行うことにより固定設置することができる。この場合、ブロック体１１ａ、１１ｂを面状に横並びに組み立てた形状と同じものを垂直方向に積み重ねた後に杭打ちをして固定設置すれば、より高さのある強固な防水壁を形成することができる。
【００１６】
上記した実施例では、ブロック体１１ａとブロック体１１ｂとの係合突起部１２と係合凹部１３を嵌合し合って隣同士のブロック体を結合するようにしている。これらの結合に対して、より結合力を高めるために、挿入孔１４に連通しない箇所にブロック体の水平方向に沿って連通する挿入孔を形成するようにし、この挿入孔に連結棒等を打ち込むようにして隣接するブロック体の結合力を高めるようにしてもよい。
【００１７】
本考案にかかる防水用ブロック体１０によれば、その材料がプラスチック等の樹脂系廃棄物を油化した際の樹脂材であり、廃材を利用して成形されているため、製造コストの低減を図ることができ、自治体等において災害対策用に大量に導入するのに適したものである。また、その組み立ても能率的に行うことができ、災害時の緊急対応作業にも適したものである。さらに、本考案の防水用ブロック体１０は再利用が可能であり、その製造時に二酸化炭素を排出しないという利点があり、環境対策上にも適したものとなる。
【符号の説明】
【００１８】
１０  防水用ブロック体
１１ａ第一のブロック体
１１ｂ第二のブロック体
１２  係合突起部
１３  係合凹部
１４  挿入孔
【図１】
0003231818.tif 000003